(57)【要約】      （修正有）【課題】対象部位を診断する読影医の負担を軽減することができる、画像診断支援装置、画像診断支援方法および画像診断支援プログラムを提供する。【解決手段】ＰＥＴ装置２０は、共通の検査部位を表す２種類の撮影画像として、ＰＳＦ補正画像とＮｏｎＰＳＦ補正画像とを生成する。ＰＳＦ補正画像が表示対象として設定されると、ＰＳＦ補正画像がモニタ１２ｍｔ上の診断画面に表示される。また、ＮｏｎＰＳＦ補正画像が測定対象として設定されると、ＮｏｎＰＳＦ補正画像に基づいてＳＵＶ値がＣＰＵ１２ｐｒによって計測される。計測されたＳＵＶ値は、モニタ１２ｍｔ上の診断画面に表示される。【選択図】図１
2020076611.tif 000002
【特許請求の範囲】
【請求項１】
画像診断の対象部位を表す２種類の撮影画像のうちの一方の種類の撮影画像をモニタ画面に表示する第１表示手段、
前記２種類の撮影画像のうちの他方の種類の撮影画像に基づいて前記対象部位の状態を計測する計測手段、および
前記計測手段による計測結果を前記モニタ画面に表示する第２表示手段を備える、画像診断支援装置。
【請求項２】
前記一方の種類の撮影画像は前記対象部位の状態を表す情報に第１処理を施すことにより生成され、
前記他方の種類の撮影画像は前記対象部位の状態を表す情報に第２処理を施すことにより生成され、
前記第１処理は前記対象部位の定性的な評価に適した特定処理と前記第２処理とを含む、請求項１記載の画像診断支援装置。
【請求項３】
前記第２処理は画像再構成処理を含み、
前記特定処理は前記画像再構成処理の前に実行される、請求項１または２に記載の画像診断支援装置。
【請求項４】
前記第１表示手段によって表示された撮影画像上のいずれかの位置を指定する位置指定操作を受け付ける受付け手段をさらに備え、
前記計測手段は前記位置指定操作により指定された位置における前記対象部位の状態を解析する、請求項１ないし３のいずれかに記載の画像診断支援装置。
【請求項５】
前記２種類の撮影画像は、互いに紐付けられた２つの画像ファイルにそれぞれ収められる、請求項１ないし４のいずれかに記載の画像診断装置。
【請求項６】
画像診断支援装置によって実行される画像診断支援方法であって、
画像診断の対象部位を表す２種類の撮影画像のうちの一方の種類の撮影画像をモニタ画面に表示する第１表示ステップ、
前記２種類の撮影画像のうちの他方の種類の撮影画像に基づいて前記対象部位の状態を計測する計測ステップ、および
前記計測ステップによる計測結果を前記モニタ画面に表示する第２表示ステップを備える、画像診断支援方法。
【請求項７】
画像診断支援装置のプロセッサに、
画像診断の対象部位を表す２種類の撮影画像のうちの一方の種類の撮影画像をモニタ画面に表示する第１表示ステップ、
前記２種類の撮影画像のうちの他方の種類の撮影画像に基づいて前記対象部位の状態を計測する計測ステップ、および
前記計測ステップによる計測結果を前記モニタ画面に表示する第２表示ステップ(S28)を実行させるための、画像診断支援プログラム。
【発明の詳細な説明】
【技術分野】
【０００１】
この発明は、画像診断支援装置、画像診断支援方法および画像診断支援プログラムに関し、特に、読影医による画像診断を支援する、画像診断支援装置、画像診断支援方法および画像診断支援プログラムに関する。
【背景技術】
【０００２】
ＰＥＴ(positron emission tomography)検査による腫瘍の検出能や、ＰＥＴ画像の画質を向上させる方法としては、ＰＳＦ(point spread function)技術を組み込んでＰＥＴ画像を再構成する方法が広く知られている。ただし、ＰＳＦ技術を組み込むと１画素の定量値が変化するため、ＳＵＶ(standardized uptake value)を用いた治療効果判定などの定量的効果判定では、ＰＳＦ技術を採用しないことが望ましい（非特許文献１）。
【０００３】
また、ＰＳＦ補正に伴って発生するＧｉｂｂｓアーチファクトは、集積部の大きさや濃度によって変則的に変化するため、ＰＳＦ画像再構成法は、空間分解能や画質の改善による病変部の検出には有効であるが、定量性を確保することは困難であり、ＳＵＶを使用しての診断には不適切と考えられる。したがって、臨床診断でＳＵＶ評価が必要な際には、ＰＳＦ補正を加えない再構成画像を使用すべきである（非特許文献２）。
【先行技術文献】
【非特許文献】
【０００４】
【非特許文献１】“１８Ｆ−ＦＤＧを用いた全身ＰＥＴ撮像の標準的プロトコール 公開版 第２版”、［ｏｎｌｉｎｅ］、2016年7月16日、日本核医学会・ＰＥＴ核医学委員会、[平成３０年１０月２７日検索]、インターネット＜URL:http://jsnm.sakura.ne.jp/wp_jsnm/wp-content/themes/theme_jsnm/doc/FDG_WBscan_Std_Protocol_20160716.pdf＞
【非特許文献２】中村明弘、外９名、「ＰＥＴ画像におけるＰＳＦ補正が定量値に与える影響−ファントム実験と臨床画像からの検討−」、臨床技術、日本放射線技術学会、2014年、70巻、第6号、p.542-548
【発明の概要】
【発明が解決しようとする課題】
【０００５】
しかし、ＰＳＦ補正を加えていない画像（ＮｏｎＰＳＦ補正画像）を使用して病変部のＳＵＶ評価を行うには、読影医は、画質が劣るＮｏｎＰＳＦ補正画像上で病変部を探す必要がある。この結果、画像診断を行う際に、読影医の負担が増大するおそれがある。
【０００６】
それゆえに、この発明の主たる目的は、対象部位を診断する読影医の負担を軽減することができる、画像診断支援装置、画像診断支援方法および画像診断支援プログラムを提供することである。
【課題を解決するための手段】
【０００７】
この発明に係る画像診断支援装置(10：実施例で相当する参照符号。以下同じ)は、画像診断の対象部位を表す２種類の撮影画像のうちの一方の種類の撮影画像(ＰＳＦ補正画像)をモニタ画面に表示する第１表示手段(S15)、２種類の撮影画像のうちの他方の種類の撮影画像(ＮｏｎＰＳＦ補正画像)に基づいて対象部位の状態を計測する計測手段(S26, S27)、および計測手段による計測結果(ＳＵＶ値)をモニタ画面に表示する第２表示手段(S28)を備える。
【０００８】
好ましくは、一方の種類の撮影画像は対象部位の状態を表す情報に第１処理を施すことにより生成され、他方の種類の撮影画像は対象部位の状態を表す情報に第２処理を施すことにより生成され、第１処理は対象部位の定性的な評価に適した特定処理と第２処理とを含む。
【０００９】
好ましくは、第２処理は画像再構成処理を含み、特定処理は画像再構成処理の前に実行される。
【００１０】
好ましくは、第１表示手段によって表示された撮影画像上のいずれかの位置を指定する位置指定操作を受け付ける受付け手段(S29)がさらに備えられ、計測手段は位置指定操作により指定された位置における対象部位の状態を解析する。
【００１１】
好ましくは、２種類の撮影画像は、互いに紐付けられた２つの画像ファイルにそれぞれ収められる。
【００１２】
この発明に係る画像診断支援方法は、画像診断支援装置(10)によって実行される画像診断支援方法であって、画像診断の対象部位を表す２種類の撮影画像のうちの一方の種類の撮影画像(ＰＳＦ補正画像)をモニタ画面に表示する第１表示ステップ(S15)、２種類の撮影画像のうちの他方の種類の撮影画像(ＮｏｎＰＳＦ補正画像)に基づいて対象部位の状態を計測する計測ステップ(S26, S27)、および計測ステップによる計測結果(ＳＵＶ値)をモニタ画面に表示する第２表示ステップ(S28)を備える。
【００１３】
この発明に係る画像診断支援プログラムは、画像診断支援装置(10)のプロセッサ(12pr)に、画像診断の対象部位を表す２種類の撮影画像のうちの一方の種類の撮影画像(ＰＳＦ補正画像)をモニタ画面に表示する第１表示ステップ(S15)、２種類の撮影画像のうちの他方の種類の撮影画像(ＮｏｎＰＳＦ補正画像)に基づいて対象部位の状態を計測する計測ステップ(S26, S27)、および計測ステップによる計測結果(ＳＵＶ値)をモニタ画面に表示する第２表示ステップ(S28)を実行させるための、画像診断支援プログラムである。
【発明の効果】
【００１４】
２種類の撮影画像を用意することにより、読影医は、撮影画像の表示と対象部位の状態の計測とで、撮影画像を使い分けることができる。これによって、対象部位を診断する読影医の負担の軽減が図られる。
【００１５】
この発明の上述の目的，その他の目的，特徴および利点は、図面を参照して行う以下の実施例の詳細な説明から一層明らかとなろう。
【図面の簡単な説明】
【００１６】
【図１】この実施例に適用される医療診断支援システムの構成を示すブロック図である。
【図２】（Ａ）はＰＳＦ補正画像を収めたＤＩＣＯＭファイルの構造の一例を示す図解図であり、（Ｂ）はＮｏｎＰＳＦ補正画像を収めたＤＩＣＯＭファイルの構造の一例を示す図解図である。
【図３】（Ａ）は表示＆計測設定のメニュー画面の一例を示す図解図であり、（Ｂ）はＳＵＶ計算方法設定のメニュー画面の一例を示す図解図である。
【図４】表示対象がＰＳＦ補正画像で測定対象がＮｏｎＰＳＦ補正画像である場合の診断画面の一例を示す図解図である。
【図５】（Ａ）は表示対象および測定対象がＰＳＦ補正画像である場合の診断画面の一例を示す図解図であり、（Ｂ）は表示対象および測定対象がＮｏｎＰＳＦ補正画像である場合の診断画面の一例を示す図解図である。
【図６】ＣＰＵの動作の一部を示すフロー図である。
【図７】ＣＰＵの動作の他の一部を示すフロー図である。
【図８】ＣＰＵの動作のその他の一部を示すフロー図である。
【発明を実施するための形態】
【００１７】
図１を参照して、本実施形態の医療診断支援システムは、院内ＬＡＮ４０を介して互いに接続された画像診断支援装置１０、ＰＥＴ装置２０およびＰＡＣＳ３０によって構成される。
【００１８】
画像診断支援装置１０において、バスＢＳ１には、通信Ｉ／Ｆ１２ｃｍ、ＣＰＵ１２ｐｒ、キーボード／マウス１２ｋｍ、ＤＲＡＭ１２ｍｍ、ＨＤＤ１２ｈｄおよびモニタ１２ｍｔが接続される。読影医は、モニタ１２ｍｔと向き合い、キーボード／マウス１２ｋｍを操作して画像診断を行う。
【００１９】
ＰＥＴ装置２０は、患者の全身を対象としてＰＥＴ検査を実行するための装置である。ＰＥＴ検査では、消滅放射線と呼ばれる特殊なガンマ線を同時計測することにより、検査部位の状態を表すデータが収集される。収集されたデータは、ノーマライズ、減弱補正、散乱補正などの補正処理を施された後、ＯＳ−ＥＭ(ordered subset-expectation maximization)法による画像再構成処理を施される。この結果、検査部位を表す撮影画像が収められたＤＩＣＯＭファイルが生成される。生成されたＤＩＣＯＭファイルは、院内ＬＡＮ４０を介してＰＡＣＳ３０に保存される。
【００２０】
本実施形態では、ＰＥＴ装置２０は、共通の検査部位を表す２種類の撮影画像を生成する。一方の種類の撮影画像は、上述したノーマライズ、減弱補正、散乱補正に加えてＰＳＦ補正を施し、その後にＯＳ−ＥＭ法により再構成した断層画像であり、“ＰＳＦ補正画像”と呼ばれる。他方の種類の撮影画像は、上述したノーマライズ、減弱補正、散乱補正を施し、その後にＯＳ−ＥＭ法により再構成した断層画像であり、“ＮｏｎＰＳＦ補正画像”と呼ばれる。
【００２１】
即ち、ＰＳＦ補正画像は、ＮｏｎＰＳＦ補正画像を生成するための一連の処理の途中（具体的には、画像再構成の前段階）でＰＳＦ補正を追加的に実行することにより、生成される。この結果、ＰＳＦ補正画像は、ＮｏｎＰＳＦ補正画像と比べて、検査部位の定性的な評価に適したものとなる。また、ＮｏｎＰＳＦ補正画像は、ＰＳＦ補正画像と比べて、検査部位の定量的な評価に適したものとなる。
【００２２】
ＤＩＣＯＭファイルは、図２（Ａ）または図２（Ｂ）に示すデータ構造を有する。図２（Ａ）によれば、タグ情報とＰＳＦ補正画像とがＤＩＣＯＭファイルに収められ、図２（Ｂ）によれば、タグ情報とＮｏｎＰＳＦ補正画像とがＤＩＣＯＭファイルに収められる。
【００２３】
ここで、タグ情報は、ＤＩＣＯＭファイル間で共通する。具体的には、タグ情報は、検査属性を各々が示す複数の項目（収集時刻、患者の身長、患者の体重、患者の性別、放射性医薬品、放射性医薬品開始時刻、放射性核種総投与量、放射性核種半減期、検査インスタンスＵＩＤ（検査識別情報）など）によって構成される。なお、共通の検査部位を表すＰＳＦ補正画像およびＮｏｎＰＳＦ補正画像は、検査インスタンスＵＩＤによって互いに紐づけされる。
【００２４】
読影医が画像診断支援装置１０を操作して患者を診断する際、ＣＰＵ１２ｐｒはまず、通信Ｉ／Ｆ１２ｃｍを通してＰＡＣＳ３０にアクセスし、共通の検査インスタンスＵＩＤが収められている２つのＤＩＣＯＭファイルを取得する。取得した２つのＤＩＣＯＭファイルにそれぞれ収められているＰＳＦ補正画像およびＮｏｎＰＳＦ補正画像は、ＤＲＡＭ１２ｍｍに展開される。
【００２５】
本実施形態では、ＰＳＦ補正画像およびＮｏｎＰＳＦ補正画像のうち、表示設定に従う補正画像がモニタ１２ｍｔに表示され、計測設定に従う補正画像に基づいてＳＵＶ値が計測される。ここで、表示設定および計測設定は、図３（Ａ）に示すメニュー画面を操作することにより特定される。また、ＳＵＶ値は、検査部位の状態を表す計測値である。
【００２６】
具体的には、当該メニュー画面の上段のモードが選択されると、ＰＳＦ補正画像が表示対象となり、ＮｏｎＰＳＦ補正画像が計測対象となる。また、当該メニュー画面の中段のモードが選択されると、ＰＳＦ補正画像が表示対象および計測対象となる。さらに、当該メニュー画面の下段のモードが選択されると、ＮｏｎＰＳＦ補正画像が表示対象および計測対象となる。
【００２７】
本実施形態ではまた、計測対象として設定された補正画像のうちＲＯＩ(Region Of Interest)に属する画素の値と、患者の体重、標準体重、除脂肪体重、体表面積のうちのいずれかの数値とに基づいて、ＳＵＶ値が計測される。ここで、患者の体重、標準体重、除脂肪体重、体表面積のいずれを参照するかは、図３（Ｂ）に示すメニュー画面の操作に従う。また、ＳＵＶ値としては、ＭａｘＳＵＶ、ＰｅａｋＳＵＶおよびＭｅａｎＳＵＶの３つの値が計測される。さらに、ＲＯＩの位置は、キーボード／マウス１２ｋｍによるカーソル（図示せず）の移動に伴って変化する。
【００２８】
この結果、図３（Ａ）に示すメニュー画面の上段のモードが選択されたときは図４に示す診断画面がモニタ１２ｍｔに表示され、図３（Ａ）に示すメニュー画面の中段のモードが選択されたときは図５（Ａ）に示す診断画面がモニタ１２ｍｔに表示され、図３（Ａ）に示すメニュー画面の下段のモードが選択されたときは図５（Ｂ）に示す診断画面がモニタ１２ｍｔに表示される。
【００２９】
図４によれば、ＰＳＦ補正画像が診断画面の中央に表示され、ＮｏｎＰＳＦ補正画像に基づいて計測されたＳＵＶ値が診断画面の右下に表示され、ＳＵＶ値の近傍に「表示：ＰＳＦ 計測：ＮｏｎＰＳＦ」の文字列が表示される。図５（Ａ）によれば、ＰＳＦ補正画像が診断画面の中央に表示され、ＰＳＦ補正画像に基づいて計測されたＳＵＶ値が診断画面の右下に表示され、ＳＵＶ値の近傍に「表示：ＰＳＦ 計測：ＰＳＦ」の文字列が表示される。図５（Ｂ）によれば、ＮｏｎＰＳＦ補正画像が診断画面の中央に表示され、ＮｏｎＰＳＦ補正画像に基づいて計測されたＳＵＶ値が診断画面の右下に表示され、ＳＵＶ値の近傍に「表示：ＮｏｎＰＳＦ 計測：ＮｏｎＰＳＦ」の文字列が表示される。
【００３０】
図４、図５（Ａ）および図５（Ｂ）のいずれにおいても、病変部はＲＯＩの内側に存在するところ、当該病変部は、ＮｏｎＰＳＦ補正画像よりもＰＳＦ補正画像に鮮明に現れている。また、ＰＳＦ補正画像に基づくＭａｘＳＵＶ、ＰｅａｋＳＵＶおよびＭｅａｎＳＵＶはそれぞれ、“６．０”、“４．５”および“３．３”を示すのに対して、ＮｏｎＰＳＦ補正画像に基づくＭａｘＳＵＶ、ＰｅａｋＳＵＶおよびＭｅａｎＳＵＶはそれぞれ、“５．０”、“４．０”および“３．０”を示し、ＮｏｎＰＳＦ補正画像に基づく値の方が、ＰＳＦ補正画像に基づく値よりも正確である。
【００３１】
ＣＰＵ１２ｐｒは、図６に示す設定変更処理と、図７に示す画像表示処理と、図８に示すＳＵＶ表示処理とを並列的に実行する。なお、これらのフロー図に対応する制御プログラムは、ＨＤＤ１２ｈｄに記憶される。
【００３２】
図６を参照して、ステップＳ０１では、図３（Ａ）に示すメニュー画面上で設定変更操作が行われたか否かを、キーボード／マウス１２ｋｍの操作入力に基づいて判定する。当該設定変更操作が行われたと判定されたときは、ステップＳ０２において表示設定および計測設定の少なくとも一方を変更する。表示設定は、ＰＳＦ補正画像を表示対象とする設定と、ＮｏｎＰＳＦ補正画像を表示対象とする設定との間で切り替えられる。また、計測設定は、ＰＳＦ補正画像に基づいてＳＵＶ値を計測する設定と、ＮｏｎＰＳＦ補正画像に基づいてＳＵＶ値を計測する設定との間で切り替えられる。
【００３３】
ステップＳ０３では、図３（Ｂ）に示すメニュー画面上で設定変更操作が行われたか否かを、キーボード／マウス１２ｋｍの操作入力に基づいて判定する。当該設定変更操作が行われたと判定されたときは、ステップＳ０４においてＳＵＶ計算方法設定を変更する。具体的には、患者の体重、標準体重、除脂肪体重、体表面積のいずれの数値に基づいてＳＵＶ値を計算するかを変更する。ステップＳ０４の処理が完了すると、ステップＳ０１に戻る。
【００３４】
図７を参照して、ステップＳ１１では、ＰＡＣＳ３０から取得した２つのＤＩＣＯＭファイルに収められているＰＳＦ補正画像およびＮｏｎＰＳＦ補正画像をＤＲＡＭ１２ｍｍに展開する。ステップＳ１２では、表示設定を従前の設定に合わせる。ステップＳ１３では現時点の表示設定を検出し、ステップＳ１４では表示対象がＰＳＦ補正画像であるか否かを当該表示設定に基づいて判定する。
【００３５】
表示対象がＰＳＦ補正画像であると判定されたときはステップＳ１５に進み、ＤＲＡＭ１２ｍｍに展開されているＰＳＦ補正画像の表示をモニタ１２ｍｔに要求する。これに対して、表示対象がＰＳＦ補正画像であると判定されなかったときはステップＳ１６に進み、ＤＲＡＭ１２ｍｍに展開されているＮｏｎＰＳＦ補正画像の表示をモニタ１２ｍｔに要求する。
【００３６】
この結果、ステップＳ１５の処理が実行されたときは、ＰＳＦ補正画像が診断画面の中央に表示され、ステップＳ１６の処理が実行されたときは、ＮｏｎＰＳＦ補正画像が診断画面の中央に表示される。
【００３７】
ステップＳ１７では、表示設定が変更されたか否かを、ステップＳ０２の処理状況に基づいて判定する。表示設定が変更されたと判定されなかったときはステップＳ１７に戻り、表示設定が変更されたと判定されたときはステップＳ１３に戻る。この結果、診断画面の表示は、表示設定が変更される毎に、ＰＳＦ補正画像とＮｏｎＰＳＦ補正画像との間で切り替えられる。
【００３８】
図８を参照して、ステップＳ２１では、計測設定およびＳＵＶ計算方法設定を従前の設定に合わせる。ステップＳ２２では、診断画面に表示されている補正画像上にカーソルが位置するか否かを、キーボード／マウス１２ｋｍの操作入力に基づいて判定する。ステップＳ２２においてカーソルが補正画像上に位置すると判定されたときは、ステップＳ２３に進み、現時点の計測設定を検出する。ステップＳ２４では、計測対象がＰＳＦ補正画像であるか否かを当該計測設定に基づいて判定する。
【００３９】
計測対象はＰＳＦ補正画像であると判定されたときは、ステップＳ２５に進み、ＰＳＦ補正画像上でＲＯＩを定義する。計測対象はＰＳＦ補正画像であると判定されなかったときは、ステップＳ２６に進み、ＮｏｎＰＳＦ補正画像上でＲＯＩを定義する。ステップＳ２５およびＳ２６のいずれにおいても、カーソルの位置を中心とする円形の領域がＲＯＩとして定義される。
【００４０】
ステップＳ２５またはＳ２６の処理が完了すると、ステップＳ２７に進む。ステップＳ２７では、当該ＲＯＩに属する画素の値と、患者の体重、標準体重、除脂肪体重、体表面積のうち現時点のＳＵＶ計算方法設定に対応する数値とに基づいて、ＳＵＶ値（具体的には、ＭａｘＳＵＶ、ＰｅａｋＳＵＶおよびＭｅａｎＳＵＶ）を計測する。ステップＳ２８では、ステップＳ２７で計測されたＳＵＶ値の表示をモニタ１２ｍｔに要求する。この結果、ＭａｘＳＵＶ、ＰｅａｋＳＵＶおよびＭｅａｎＳＵＶが診断画面の右下に表示される。
【００４１】
ステップＳ２９では、カーソルが移動したか否かをキーボード／マウス１２ｋｍの操作入力に基づいて判定する。カーソルが移動したと判定されなかったときはステップＳ２９に戻り、カーソルが移動したと判定されたときはステップＳ２２に戻る。この結果、カーソルが補正画像上で移動する場合には、当該移動に伴ってＳＵＶ値が更新される。
【００４２】
ステップＳ２２において、カーソルは補正画像上に位置すると判定されなかったときは、ステップＳ３０に進む。ステップＳ３０では、表示設定および計測設定の少なくとも一方が変更されたか否かを、ステップＳ０２の処理状況に基づいて判定する。表示設定および計測設定の少なくとも一方が変更されたと判定されなかったときは、ステップＳ２２に戻り、表示設定および計測設定の少なくとも一方が変更されたと判定されたときは、ステップＳ３１に進む。ステップＳ３１では、変更後の表示設定および計測設定に対応する文字列の表示をモニタ１２ｍｔに要求する。
【００４３】
この結果、変更後の表示設定および計測設定が、ＰＳＦ補正画像を表示対象とし、ＮｏｎＰＳＦ補正画像を計測対象とするものであれば、「表示：ＰＳＦ 計測：ＮｏｎＰＳＦ」の文字列が診断画面の右下に表示される。また、変更後の表示設定および計測設定がＰＳＦ補正画像を表示対象および計測対象とするものであれば、「表示：ＰＳＦ 計測：ＰＳＦ」の文字列が診断画面の右下に表示される。さらに、変更後の表示設定および計測設定がＮｏｎＰＳＦ補正画像を表示対象および計測対象とするものであれば、「表示：ＮｏｎＰＳＦ 計測：ＮｏｎＰＳＦ」の文字列が診断画面の右下に表示される。ステップＳ３１の処理が完了すると、ステップＳ２２に戻る。
【００４４】
以上の説明から分かるように、ＰＥＴ装置２０は、共通の検査部位を表す２種類の撮影画像を生成する。画像診断支援装置１０のＣＰＵ１２ｐｒは、当該２種類の撮影画像のうちの一方の種類の撮影画像を、診断画面に表示する(S15)。ＣＰＵ１２ｐｒはまた、当該２種類の撮影画像のうちの他方の種類の撮影画像に基づいて検査部位の状態を表すＳＵＶ値を計測し(S26, S27)、当該ＳＵＶ値を診断画面に表示する(S28)。
【００４５】
２種類の撮影画像を用意することにより、読影医は、撮影画像の表示と対象部位の状態の計測とで、撮影画像を使い分けることができる。これによって、対象部位を診断する読影医の負担の軽減が図られる。
【００４６】
また、一方の種類の撮影画像は、ＰＳＦ補正画像であり、検査部位の状態を表すデータに、ノーマライズ、減弱補正、散乱補正、ＰＳＦ補正の一連の処理を施し、その後にＯＳ−ＥＭ法による画像再構成処理を施すことにより生成される。これに対して、他方の種類の撮影画像は、ＮｏｎＰＳＦ補正画像であり、検査部位の状態を表すデータに、ノーマライズ、減弱補正、散乱補正の一連の処理を施し、その後にＯＳ−ＥＭ法による画像再構成処理を施すことにより生成される。即ち、ＰＳＦ補正画像を生成するための一連の処理は、ＮｏｎＰＳＦ補正画像を生成するための一連の処理にＰＳＦ補正を加えた処理に相当する。
【００４７】
この結果、ＰＳＦ補正画像は、ＮｏｎＰＳＦ補正画像と比べて、検査部位の定性的な評価に適したものとなる。また、ＮｏｎＰＳＦ補正画像は、ＰＳＦ補正画像と比べて、検査部位の定量的な評価に適したものとなる。
【００４８】
診断画面には、ＰＳＦ補正画像が表示されるとともに、ＮｏｎＰＳＦ補正画像に基づいて計測されたＳＵＶ値が表示されるため、読影医は、ＰＳＦ補正画像により病変部の状態を定性的に評価することができ、ＮｏｎＰＳＦ補正画像に基づくＳＵＶ値により病変部の状態を定量的に評価することができる。即ち、読影医は、ＰＳＦ補正画像を参照することにより病変部を容易に探し出すことができ、ＳＵＶ値を参照することにより病変部を的確に診断することができる。
【００４９】
＜変形例＞
以上説明した実施形態の変形例を以下に列挙する。
【００５０】
（１）本実施形態においては、共通の検査部位を表す２種類の撮影画像はいずれもＰＥＴ画像である。しかし、一方の種類の撮影画像をＰＥＴ画像、ＣＴ画像およびＭＲＩ画像のうちの１つとし、他方の種類の撮影画像をＰＥＴ画像、ＣＴ画像およびＭＲＩ画像のうちの他の１つとするなど、異なる方式で撮影された２種類の撮影画像を対象とするようにしてもよい。この場合でも、撮影画像の表示と対象部位の状態の計測とで撮影画像を使い分けることができ、対象部位を診断する読影医の負担の軽減が図られる。
【００５１】
（２）本実施形態においては、ＰＥＴ装置によって生成された２種類の撮影画像を対象としているが、ＭＲＩ、ＣＴ、超音波診断装置などの他のモダリティによって生成された２種類の撮影画像を対象とするようにしてもよい。
【００５２】
（３）本実施形態においては、２種類の撮影画像は、同時刻に撮影された共通の検査部位を表す。しかし、共通の検査部位を表す限り、当該２種類の撮影画像は、互いに異なる時刻ないし日付に撮影されたものであってもよい。
【００５３】
（４）本実施形態においては、読影医によるキーボード／マウス１２ｋｍの操作に従う位置にＲＯＩを定義するようにしている。しかし、ＣＰＵ１２ｐｒの処理によって、病変部と思われる位置を特定し、当該病変部の周辺にＲＯＩを定義するようにしてもよい。この場合、ＣＰＵ１２ｐｒは、撮影画像を構成する画素値をスキャンすることにより病変部を特定するようにしてもよい。
【００５４】
（５）本実施形態においては、１つのＤＩＣＯＭファイルには、１枚の撮影画像しか収められないが、検査部位の複数の断層をそれぞれ表す複数の撮影画像を１つのＤＩＣＯＭファイルに収めるようにしてもよい。また、この場合は、カーソルの位置を中心とする球形の領域をVＯＩ(Volume Of Interest)として定義し、当該ＶＯＩを対象としてＳＵＶ値を計測するようにしてもよい。
【符号の説明】
【００５５】
１０  …画像診断支援装置
１２ｐｒ  …ＣＰＵ
１２ｈｄ  …ＨＤＤ
１２ｍｍ  …メモリ
１２ｍｔ  …モニタ
【図１】
2020076611.tif 000003
【図２】
2020076611.tif 000004
【図３】
2020076611.tif 000005
【図４】
2020076611.tif 000006
【図５】
2020076611.tif 000007
【図６】
2020076611.tif 000008
【図７】
2020076611.tif 000009
【図８】
2020076611.tif 000010